【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
メタン、Ｃ２成分、Ｃ３成分およびより重質の炭化水素成分を含有するガスストリームを、揮発性の残留ガス留分と、前記Ｃ２成分の大部分、前記Ｃ３成分の大部分、および前記より重質の炭化水素成分の大部分を含有するか、または、前記Ｃ３成分の大部分、および前記より重質の炭化水素成分の大部分を含有する相対的に揮発性が低い留分とに分離するための方法であって、
（ａ）前記ガスストリームを加圧下で冷却して、冷却されたストリームを提供し；
（ｂ）前記冷却されたストリームをより低圧に膨張させることによって、それをさらに冷却し；そして、
（ｃ）前記さらに冷却されたストリームを蒸留カラムに向け、前記より低圧で分留することによって、前記相対的に揮発性が低い留分の成分を回収する；
ことを含み、改善として、冷却の後、前記冷却されたストリームを第１ストリームと第２ストリームとに分割し；そして、
（１）前記第１ストリームを冷却して、その第１ストリームの実質的にすべてを凝縮し、続いてそれを前記より低圧に膨張させることによってさらに冷却し；
（２）続いて前記膨張させ冷却した第１ストリームを、前記蒸留カラムにカラム中間の第１フィード位置で供給し；
（３）前記第２ストリームを前記より低圧に膨張させ、前記蒸留カラムにカラム中間の第２フィード位置で供給し；
（４）前記膨張させた第２ストリームより上の前記蒸留カラムの領域から蒸気蒸留ストリームを抜き出し、そして十分に冷却してその少なくとも一部を凝縮することによって、残留蒸気ストリームと凝縮されたストリームとを形成し；
（５）前記凝縮されたストリームの少なくとも一部を、前記蒸留カラムに頂部のフィード位置で供給し；
（６）前記蒸留カラムの上部領域からオーバーヘッド蒸気ストリームを抜き出し、前記蒸気蒸留ストリームとの熱交換関係に向かわせ、加熱することによって、工程（４）の冷却の少なくとも一部を供給し、続いて前記加熱されたオーバーヘッド蒸気ストリームの少なくとも一部を、前記揮発性の残留ガス留分として放出し；そして、
（７）前記蒸留カラムへの前記フィードストリームの量および温度は、前記相対的に揮発性が低い留分中の成分の大部分が回収されるような温度に前記蒸留カラムのオーバーヘッド温度を維持するために有効である、前記方法。
【請求項２】
メタン、Ｃ２成分、Ｃ３成分およびより重質の炭化水素成分を含有するガスストリームを、揮発性の残留ガス留分と、前記Ｃ２成分の大部分、前記Ｃ３成分の大部分、および前記より重質の炭化水素成分の大部分を含有するか、または、前記Ｃ３成分の大部分、および前記より重質の炭化水素成分の大部分を含有する相対的に揮発性が低い留分とに分離するための方法であって、
（ａ）前記ガスストリームを加圧下で冷却して、冷却されたストリームを提供し；
（ｂ）前記冷却されたストリームをより低圧に膨張させることによって、それをさらに冷却し：そして、
（ｃ）前記さらに冷却されたストリームを蒸留カラムに向け、前記より低圧で分留することによって、前記相対的に揮発性が低い留分の成分を回収する；
ことを含み、改善として、前記ガスストリームを、それを十分に冷却して部分的に凝縮し；そして、
（１）前記部分的に凝縮されたガスストリームを分離することによって、蒸気ストリームおよび少なくとも１つの液体ストリームを提供し；
（２）続いて前記蒸気ストリームを、第１ストリームと第２ストリームとに分割し；
（３）前記第１ストリームを冷却して、その第１ストリームの実質的にすべてを凝縮し、続いてそれを前記より低圧に膨張させることによってさらに冷却し；
（４）続いて前記膨張させ冷却した第１ストリームを、前記蒸留カラムにカラム中間の第１フィード位置で供給し；
（５）前記第２ストリームを前記より低圧に膨張させ、前記蒸留カラムにカラム中間の第２フィード位置で供給し；
（６）前記少なくとも１つの液体ストリームの少なくとも一部を前記より低圧に膨張させ、前記蒸留カラムにカラム中間の第３フィード位置で供給し：
（７）前記膨張させた第２ストリームより上の前記蒸留カラムの領域から蒸気蒸留ストリームを抜き出し、そして十分に冷却してその少なくとも一部を凝縮することによって、残留蒸気ストリームと凝縮されたストリームとを形成し；
（８）前記凝縮されたストリームの少なくとも一部を、前記蒸留カラムに頂部のフィード位置で供給し；
（９）前記蒸留カラムの上部領域からオーバーヘッド蒸気ストリームを抜き出し、前記蒸気蒸留ストリームとの熱交換関係に向かわせ、加熱することによって、工程（７）の冷却の少なくとも一部を供給し、その後、前記加熱されたオーバーヘッド蒸気ストリームの少なくとも一部を、前記揮発性の残留ガス留分として放出し；そして、
（１０）前記蒸留カラムへの前記フィードストリームの量および温度は、前記相対的に揮発性が低い留分中の成分の大部分が回収されるような温度に前記蒸留カラムのオーバーヘッド温度を維持するために有効である、前記方法。
【請求項３】
メタン、Ｃ２成分、Ｃ３成分およびより重質の炭化水素成分を含有するガスストリームを、揮発性の残留ガス留分と、前記Ｃ２成分の大部分、前記Ｃ３成分の大部分、および前記より重質の炭化水素成分の大部分を含有するか、または、前記Ｃ３成分の大部分、および前記より重質の炭化水素成分の大部分を含有する相対的に揮発性が低い留分とに分離するための方法であって、
（ａ）前記ガスストリームを加圧下で冷却して、冷却されたストリームを提供し；
（ｂ）前記冷却されたストリームをより低圧に膨張させることによって、それをさらに冷却し；そして、
（ｃ）前記さらに冷却されたストリームを蒸留カラムに向け、前記より低圧で分留することによって、前記相対的に揮発性が低い留分の成分を回収する；
ことを含み、改善として、前記ガスストリームを、それを十分に冷却して部分的に凝縮し；そして、
（１）前記部分的に凝縮されたガスストリームを分離することによって、蒸気ストリームおよび少なくとも１つの液体ストリームを提供し；
（２）続いて前記蒸気ストリームを、第１ストリームと第２ストリームとに分割し；
（３）前記第１ストリームを、前記少なくとも１つの液体ストリームの少なくとも一部と合流させて、合流されたストリームを形成し、前記合流されたストリームを冷却して、実質的にその合流されたストリーム全体を凝縮し、続いてそれを前記より低圧に膨張させることによってさらに冷却し；
（４）続いて前記膨張させ冷却した合流されたストリームを、前記蒸留カラムにカラム中間の第１フィード位置で供給し；
（５）前記第２ストリームを前記より低圧に膨張させ、前記蒸留カラムにカラム中間の第２フィード位置で供給し；
（６）前記少なくとも１つの液体ストリームの残りの部分全てを前記より低圧に膨張させ、前記蒸留カラムにカラム中間の第３フィード位置で供給し；
（７）前記膨張させた第２ストリームより上の前記蒸留カラムの領域から蒸気蒸留ストリームを抜き出し、十分に冷却してその少なくとも一部を凝縮することによって、残留蒸気ストリームと凝縮されたストリームとを形成し；
（８）前記凝縮されたストリームの少なくとも一部を、前記蒸留カラムに頂部のフィード位置で供給し：
（９）前記蒸留カラムの上部領域からオーバーヘッド蒸気ストリームを抜き出し、前記蒸気蒸留ストリームとの熱交換関係に向かわせ、加熱することによって、工程（７）の冷却の少なくとも一部を供給し、続いて前記加熱されたオーバーヘッド蒸気ストリームの少なくとも一部を、前記揮発性の残留ガス留分として放出し；そして、
（１０）前記蒸留カラムへの前記フィードストリームの量および温度は、前記相対的に揮発性が低い留分中の成分の大部分が回収されるような温度に前記蒸留カラムのオーバーヘッド温度を維持するために有効である、前記方法。
【請求項４】
メタン、Ｃ２成分、Ｃ３成分およびより重質の炭化水素成分を含有するガスストリームを、揮発性の残留ガス留分と、前記Ｃ２成分の大部分、前記Ｃ３成分の大部分、および前記より重質の炭化水素成分の大部分を含有するか、または、前記Ｃ３成分の大部分、および前記より重質の炭化水素成分の大部分を含有する相対的に揮発性が低い留分とに分離するための方法であって、
（ａ）前記ガスストリームを加圧下で冷却して、冷却されたストリームを提供し；
（ｂ）前記冷却されたストリームをより低圧に膨張させることによって、それをさらに冷却し；そして、
（ｃ）前記さらに冷却されたストリームを蒸留カラムに向け、前記より低圧で分留することによって、前記相対的に揮発性が低い留分の成分を回収する；
ことを含み、改善として、冷却の後、前記冷却されたストリームを第１ストリームと第２ストリームとに分割し；そして、
（１）前記第１ストリームを冷却して、その第１ストリームの実質的にすべてを凝縮し、続いてそれを前記より低圧に膨張させることによってさらに冷却し；
（２）続いて前記膨張させ冷却した第１ストリームを、第１オーバーヘッド蒸気ストリームおよび底部液体ストリームを生産する接触および分離デバイスにカラム中間のフィード位置で供給し、その結果、前記底部液体ストリームが前記蒸留カラムに供給され；
（３）前記第２ストリームを前記より低圧に膨張させ、前記接触および分離デバイスにカラム下部の第１フィード位置で供給し；
（４）前記蒸留カラムの上部領域から第２オーバーヘッド蒸気ストリームを抜き出し、前記接触および分離デバイスにカラム下部の第２フィード位置で供給し；
（５）前記膨張させた第２ストリームより上の前記接触および分離デバイスの領域から蒸気蒸留ストリームを抜き出し、十分に冷却してその少なくとも一部を凝縮することによって、残留蒸気ストリームと凝縮されたストリームとを形成し；
（６）前記凝縮されたストリームの少なくとも一部を、前記接触および分離デバイスに頂部のフィード位置で供給し；
（７）前記第１オーバーヘッド蒸気ストリームを、前記蒸気蒸留ストリームとの熱交換関係に向かわせ、加熱することによって、工程（５）の冷却の少なくとも一部を供給し、続いて前記加熱された第１オーバーヘッド蒸気ストリームの少なくとも一部を前記揮発性の残留ガス留分として放出し；そして、
（８）前記接触および分離デバイスへの前記フィードストリームの量および温度は、前記接触および分離デバイスのオーバーヘッド温度を、前記相対的に揮発性が低い留分中の成分の大部分が回収されるような温度に維持するために有効である、前記方法。
【請求項５】
メタン、Ｃ２成分、Ｃ３成分およびより重質の炭化水素成分を含有するガスストリームを、揮発性の残留ガス留分と、前記Ｃ２成分の大部分、前記Ｃ３成分の大部分、および前記より重質の炭化水素成分の大部分を含有するか、または、前記Ｃ３成分の大部分、および前記より重質の炭化水素成分の大部分を含有する相対的に揮発性が低い留分とに分離するための方法であって、
（ａ）前記ガスストリームを加圧下で冷却して、冷却されたストリームを提供し；
（ｂ）前記冷却されたストリームをより低圧に膨張させることによって、それをさらに冷却し；そして、
（ｃ）前記さらに冷却されたストリームを蒸留カラムに向け、前記より低圧で分留することによって、前記相対的に揮発性が低い留分の成分を回収する；
ことを含み、改善として、前記ガスストリームを、それを十分に冷却して部分的に凝縮し；そして、
（１）前記部分的に凝縮されたガスストリームを分離することによって、蒸気ストリームおよび少なくとも１つの液体ストリームを提供し；
（２）続いて前記蒸気ストリームを、第１ストリームと第２ストリームとに分割し；
（３）前記第１ストリームを冷却して、その第１ストリームの実質的にすべてを凝縮し、続いてそれを前記より低圧に膨張させることによってさらに冷却し；
（４）続いて前記膨張させ冷却した第１ストリームを、第１オーバーヘッド蒸気ストリームおよび底部液体ストリームを生産する接触および分離デバイスにカラム中間のフィード位置で供給し、その結果、前記底部液体ストリームが前記蒸留カラムに供給され；
（５）前記第２ストリームを前記より低圧に膨張させ、前記接触および分離デバイスにカラム下部の第１フィード位置で供給し；
（６）前記少なくとも１つの液体ストリームの少なくとも一部を前記より低圧に膨張させ、前記蒸留カラムにカラム中間のフィード位置で供給し；
（７）前記蒸留カラムの上部領域から第２オーバーヘッド蒸気ストリームを抜き出し、前記接触および分離デバイスにカラム下部の第２フィード位置で供給し；
（８）前記膨張させた第２ストリームより上の前記接触および分離デバイスの領域から蒸気蒸留ストリームを抜き出し、十分に冷却してその少なくとも一部を凝縮することによって、残留蒸気ストリームと凝縮されたストリームとを形成し；
（９）前記凝縮されたストリームの少なくとも一部を、前記接触および分離デバイスに頂部のフィード位置で供給し；
（１０）前記第１オーバーヘッド蒸気ストリームを、前記蒸気蒸留ストリームとの熱交換関係に向かわせ、加熱することによって、工程（８）の冷却の少なくとも一部を供給し、続いて前記加熱された第１オーバーヘッド蒸気ストリームの少なくとも一部を前記揮発性の残留ガス留分として放出し；そして、
（１１）前記接触および分離デバイスへの前記フィードストリームの量および温度は、前記接触および分離デバイスのオーバーヘッド温度を、前記相対的に揮発性が低い留分中の成分の大部分が回収されるような温度に維持するために有効である、前記方法。
【請求項６】
メタン、Ｃ２成分、Ｃ３成分およびより重質の炭化水素成分を含有するガスストリームを、揮発性の残留ガス留分と、前記Ｃ２成分の大部分、前記Ｃ３成分の大部分、および前記より重質の炭化水素成分の大部分を含有するか、または、前記Ｃ３成分の大部分、および前記より重質の炭化水素成分の大部分を含有する相対的に揮発性が低い留分とに分離するための方法であって、
（ａ）前記ガスストリームを加圧下で冷却して、冷却されたストリームを提供し；
（ｂ）前記冷却されたストリームをより低圧に膨張させることによって、それをさらに冷却し；そして、
（ｃ）前記さらに冷却されたストリームを蒸留カラムに向け、前記より低圧で分留することによって、前記相対的に揮発性が低い留分の成分を回収する；
ことを含み、改善として、前記ガスストリームを、それを十分に冷却して部分的に凝縮し：そして
（１）前記部分的に凝縮されたガスストリームを分離することによって、蒸気ストリームおよび少なくとも１つの液体ストリームを提供し；
（２）続いて前記蒸気ストリームを、第１ストリームと第２ストリームとに分割し；
（３）前記第１ストリームを、前記少なくとも１つの液体ストリームの少なくとも一部と合流させて、合流されたストリームを形成し、前記合流されたストリームを冷却して、実質的にその合流されたストリーム全体を凝縮し、続いてそれを前記より低圧に膨張させることによってさらに冷却し；
（４）続いて前記膨張させ冷却した合流されたストリームを、第１オーバーヘッド蒸気ストリームおよび底部液体ストリームを生産する接触および分離デバイスにカラム中間のフィード位置で供給し、その結果、前記底部液体ストリームが前記蒸留カラムに供給され；
（５）前記第２ストリームを前記より低圧に膨張させ、前記接触および分離デバイスにカラム下部の第１フィード位置で供給し；
（６）前記少なくとも１つの液体ストリームの残りの部分全てを前記より低圧に膨張させ、前記蒸留カラムにカラム中間のフィード位置で供給し：
（７）前記蒸留カラムの上部領域から第２オーバーヘッド蒸気ストリームを抜き出し、前記接触および分離デバイスにカラム下部の第２フィード位置で供給し；
（８）前記膨張させた第２ストリームより上の前記接触および分離デバイスの領域から蒸気蒸留ストリームを抜き出し、十分に冷却してその少なくとも一部を凝縮することによって、残留蒸気ストリームと凝縮されたストリームとを形成し；
（９）前記凝縮されたストリームの少なくとも一部を、前記接触および分離デバイスに頂部のフィード位置で供給し；
（１０）前記第１オーバーヘッド蒸気ストリームを、前記蒸気蒸留ストリームとの熱交換関係に向かわせ、加熱することによって、工程（８）の冷却の少なくとも一部を供給し、続いて前記加熱された第１オーバーヘッド蒸気ストリームの少なくとも一部を前記揮発性の残留ガス留分として放出し；そして、
（１１）前記接触および分離デバイスへの前記フィードストリームの量および温度は、前記接触および分離デバイスのオーバーヘッド温度を、前記相対的に揮発性が低い留分中の成分の大部分が回収されるような温度に維持するために有効である、前記方法。
【請求項７】
（１）前記オーバーヘッド蒸気ストリームを、前記残留蒸気ストリームと合流させて、合流された蒸気ストリームを形成し；そして、
（２）前記合流された蒸気ストリームを、前記蒸気蒸留ストリームとの熱交換関係に向かわせ、加熱することによって、前記蒸気蒸留ストリームの冷却の少なくとも一部を供給し、続いて前記加熱された合流された蒸気ストリームの少なくとも一部を前記揮発性の残留ガス留分として放出する、請求項１、２または３に記載の改善。
【請求項８】
（１）前記第１オーバーヘッド蒸気ストリームを、前記残留蒸気ストリームと合流させて、合流された蒸気ストリームを形成し；そして、
（２）前記合流された蒸気ストリームを、前記蒸気蒸留ストリームとの熱交換関係に向かわせ、加熱することによって、前記蒸気蒸留ストリームの冷却の少なくとも一部を供給し、続いて前記加熱された合流された蒸気ストリームの少なくとも一部を前記揮発性の残留ガス留分として放出する、請求項４、５または６に記載の改善。
【請求項９】
（１）第２蒸気蒸留ストリームを、前記膨張させた第２ストリームより下の前記蒸留カラムの領域から抜き出し；
（２）前記蒸気蒸留ストリームを前記第２蒸気蒸留ストリームと合流させて、合流された蒸留ストリームを形成し；
（３）前記合流された蒸留ストリームを、十分に冷却してその少なくとも一部を凝縮することによって、前記残留蒸気ストリームおよび前記凝縮されたストリームを形成し；そして、
（４）前記オーバーヘッド蒸気ストリームを、前記合流された蒸留ストリームとの熱交換関係に向かわせ、加熱することによって、工程（３）の冷却の少なくとも一部を供給し、続いて前記加熱されたオーバーヘッド蒸気ストリームの少なくとも一部を前記揮発性の残留ガス留分として放出する、請求項１、２または３に記載の改善。
【請求項１０】
（１）第２蒸気蒸留ストリームを、前記膨張させた第２ストリームより下の前記蒸留カラムの領域から抜き出し；
（２）前記蒸気蒸留ストリームを前記第２蒸気蒸留ストリームと合流させて、合流された蒸留ストリームを形成し；
（３）前記合流された蒸留ストリームを、十分に冷却してその少なくとも一部を凝縮することによって、前記残留蒸気ストリームおよび前記凝縮されたストリームを形成し；
（４）前記オーバーヘッド蒸気ストリームを、前記残留蒸気ストリームと合流させて、合流された蒸気ストリームを形成し；そして、
（５）前記合流された蒸気ストリームを、前記合流された蒸留ストリームとの熱交換関係に向かわせ、加熱することによって、工程（３）の冷却の少なくとも一部を供給し、続いて前記加熱された合流された蒸気ストリームの少なくとも一部を前記揮発性の残留ガス留分として放出する、請求項１、２または３に記載の改善。
【請求項１１】
（１）前記第２オーバーヘッドストリームを、第２蒸気蒸留ストリームと第３蒸気蒸留ストリームとに分割し、その結果、前記第３蒸気蒸留ストリームは、前記接触および分離デバイスに前記カラム下部の第２フィード位置で供給され；
（２）前記蒸気蒸留ストリームを前記第２蒸気蒸留ストリームと合流させて、合流された蒸留ストリームを形成し；
（３）前記合流された蒸留ストリームを十分に冷却してその少なくとも一部を凝縮することによって、前記残留蒸気ストリームおよび前記凝縮されたストリームを形成し；そして、
（４）前記第１オーバーヘッド蒸気ストリームを、前記合流された蒸留ストリームとの熱交換関係に向かわせ、加熱することによって、工程（３）の冷却の少なくとも一部を供給し、続いて前記加熱された第１オーバーヘッド蒸気ストリームの少なくとも一部を前記揮発性の残留ガス留分として放出する、請求項４、５または６に記載の改善。
【請求項１２】
（１）前記第２オーバーヘッドストリームを、第２蒸気蒸留ストリームと第３蒸気蒸留ストリームとに分割し、その結果、前記第３蒸気蒸留ストリームは、前記接触および分離デバイスに前記カラム下部の第２フィード位置で供給され；
（２）前記蒸気蒸留ストリームを前記第２蒸気蒸留ストリームと合流させて、合流された蒸留ストリームを形成し；
（３）前記合流された蒸留ストリームを十分に冷却してその少なくとも一部を凝縮することによって、前記残留蒸気ストリームおよび前記凝縮されたストリームを形成し；
（４）前記第１オーバーヘッド蒸気ストリームを、前記残留蒸気ストリームと合流させて、合流された蒸気ストリームを形成し；そして、
（５）前記合流された蒸気ストリームを、前記合流された蒸留ストリームとの熱交換関係に向かわせ、加熱することによって、工程（３）の冷却の少なくとも一部を供給し、続いて前記加熱された合流された蒸気ストリームの少なくとも一部を前記揮発性の残留ガス留分として放出する、請求項４、５または６に記載の改善。
【請求項１３】
（１）前記凝縮されたストリームを、少なくとも第１部分と第２部分とに分割し；
（２）前記第１部分を、前記頂部のフィード位置で前記蒸留カラムに供給し；そして、
（３）前記第２部分を、前記膨張させた第２ストリームのフィード位置より下のカラム中間のフィード位置で前記蒸留カラムに供給する、請求項１、２または３に記載の改善。
【請求項１４】
（１）前記凝縮されたストリームを、少なくとも第１部分と第２部分とに分割し；
（２）前記第１部分を、前記頂部のフィード位置で前記蒸留カラムに供給し；そして、
（３）前記第２部分を、前記膨張させた第２ストリームのフィード位置より下のカラム中間のフィード位置で前記蒸留カラムに供給する、請求項７に記載の改善。
【請求項１５】
（１）前記凝縮されたストリームを、少なくとも第１部分と第２部分とに分割し；
（２）前記第１部分を、前記蒸留カラムに前記頂部のフィード位置で供給し；そして、
（３）前記第２部分を、前記蒸留カラムにカラム中間のフィード位置で供給し、前記カラム中間のフィード位置は、前記第２蒸気蒸留ストリームが抜き出される領域と実質的に同じ領域内である、請求項９に記載の改善。
【請求項１６】
（１）前記凝縮されたストリームを、少なくとも第１部分と第２部分とに分割し；
（２）前記第１部分を、前記蒸留カラムに前記頂部のフィード位置で供給し；そして、
（３）前記第２部分を、前記蒸留カラムにカラム中間のフィード位置で供給し、前記カラム中間のフィード位置は、前記第２蒸気蒸留ストリームが抜き出される領域と実質的に同じ領域内である、請求項１０に記載の改善。
【請求項１７】
（１）前記凝縮されたストリームを、少なくとも第１部分と第２部分とに分割し；
（２）前記第１部分を、前記接触および分離デバイスに前記頂部のフィード位置で供給し；そして、
（３）前記第２部分を、前記蒸留カラムに頂部のフィード位置で供給する、請求項４、５または６に記載の改善。
【請求項１８】
（１）前記凝縮されたストリームを、少なくとも第１部分と第２部分とに分割し；
（２）前記第１部分を、前記接触および分離デバイスに前記頂部のフィード位置で供給し；そして、
（３）前記第２部分を、前記蒸留カラムに頂部のフィード位置で供給する、請求項８に記載の改善。
【請求項１９】
（１）前記凝縮されたストリームを、少なくとも第１部分と第２部分とに分割し；
（２）前記第１部分を、前記接触および分離デバイスに前記頂部のフィード位置で供給し；そして、
（３）前記第２部分を、前記蒸留カラムに頂部のフィード位置で供給する、請求項１１に記載の改善。
【請求項２０】
（１）前記凝縮されたストリームを、少なくとも第１部分と第２部分とに分割し；
（２）前記第１部分を、前記接触および分離デバイスに前記頂部のフィード位置で供給し；そして、
（３）前記第２部分を、前記蒸留カラムに頂部のフィード位置で供給する、請求項１２に記載の改善。